【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】
情報単位のストリーム[RＩＮ]を有する入力情報ストリームを出力情報ストリームに変換するコード化ステップを有する、入力情報ストリームを一オペレーションでコード化する方法であって、当該出力情報ストリームが、情報単位の可変ストリーム[RＥＮＣ]を有し、情報単位の前記可変ストリームが、最小値RＥＮＣ，ＭＩＮと最大値RＥＮＣ，ＭＡＸとの間にあり、少なくとも一つの制御信号[R]が、前記コード化ステップの効果に影響を与えることが出来る、入力情報ストリームをコード化する方法において、
この方法が、
いかなる時点Ｔにおいても、前記出力情報ストリームの情報単位の前記可変ストリームの選ばれた平均値[RＥＮＣ，ＡＶＥＲ]に、前記時点Ｔが乗じられた値分減少させた、前記コード化ステップで生成された情報単位の量[ENCＯＵＴ(T)]が、式[ENCＯＵＴ(T)- RＥＮＣ，ＡＶＥＲ・T]に従って、記録される測定ステップと、
前記測定ステップにおいて記録された情報単位の前記量[ENCＯＵＴ(T)- RＥＮＣ，ＡＶＥＲ・T]が、少なくとも一つの基準と比較され、かつ少なくとも一つの信号用信号[S]が生成される比較ステップと、
少なくとも一つの制御信号[R]が、生成され、前記制御信号の状態が、前記比較ステップにおいて生成される前記信号用信号[S]のうちの少なくとも1つの状態に依存し、かつその制御信号が前記コード化ステップの前記効果に影響する、制御ステップとを
有する、入力情報ストリームをコード化することを特徴とする方法。
【請求項２】
第一基準が-α・TＶＢ・RＥＮＣ，ＡＶＥＲで、かつ第二基準がα・TＶＢ・RＥＮＣ，ＡＶＥＲで（TＶＢは、選択された時定数を表し、αは選択された一定値を表す）、そして
式ENCＯＵＴ(T)- [RＥＮＣ，ＡＶＥＲ]・T≦-α・TＶＢ・RＥＮＣ，ＡＶＥＲが真の場合、第一信号用信号[SＵＮＤＥＲ]は、所定の値を取得し、そして
式ENCＯＵＴ(T)- [RＥＮＣ，ＡＶＥＲ]・T≧α・TＶＢ・RＥＮＣ，ＡＶＥＲが真の場合、第二信号用信号[SＵＮＤＥＲ]が所定の値を取得し、そして
前記第一信号用信号[SＵＮＤＥＲ]が前記所定の値を有する場合、少なくとも一つの制御信号が、前記出力された情報ストリームの情報単位の前記可変ストリームの前記最小値[RＥＮＣ，ＭＩＮ]がRＥＮＣ，ＡＶＥＲに等しくなるように、前記コード化ステップの前記効果に影響し、そして
前記第二信号用信号[SＯＶＥＲ]が前記所定の値を有する場合、少なくとも一つの制御信号が、前記出力情報ストリームの情報単位の前記可変のストリームの前記最大値[RＥＮＣ，ＭＡＸ]がRＥＮＣ，ＡＶＥＲに等しくなるように、前記コード化ステップの前記効果に影響する
ことを特徴とする請求項1に記載の方法。
【請求項３】
前記選択された定数αが1の値を有することを特徴とする請求項2に記載の方法。
【請求項４】
前記制御ステップにおいて生成される前記制御信号[R]の全ての状態が、テーブルの要素に記録され、そして前記テーブルからの要素が少なくとも一つの信号用信号[S]の状態に応じて選択され、そして前記選択された要素に記録される前記制御信号の前記状態が、生成されることを特徴とする請求項1に記載の方法。
【請求項５】
前記テーブルの数が、2・TＶＢ・RＥＮＣ，ＡＶＥＲ+1に等しいことを特徴とする請求項4に記載の方法。
【請求項６】
少なくとも一つの信号用信号[S]が、時間Tの関数として、前記測定ステップにおいて記録される、情報単位の量[ENCＯＵＴ(T)- RＥＮＣ，ＡＶＥＲ・T]の導関数を有することを特徴とする請求項1に記載の方法。
【請求項７】
前記コード化ステップにおいて生成される情報単位の量[ENCＯＵＴ(T)]に、この方法の開始時で、初期値ENCＯＵＴ(0)が割り当てられることを特徴とする請求項1に記載の方法。
【請求項８】
前記測定ステップにおいて記録される情報単位の量[ENCＯＵＴ(T)- RＥＮＣ，ＡＶＥＲ・T]の値が、規定されることを特徴とする請求項1に記載の方法。
【請求項９】
前記制御ステップにおいて、少なくとも一つの制御信号が生成され、前記制御信号の状態が、前記入力情報ストリームのコンテントを示す外から供給される表示信号に依存することを特徴とする請求項1に記載の方法。
【請求項１０】
情報単位のストリーム[RＩＮ]を有する入力情報ストリームを出力情報ストリームにコード化するコード化装置であって、当該出力情報ストリームが、最小値[RＥＮＣ，ＭＩＮ]と最大値[RＥＮＣ，ＭＡＸ]の間にある情報単位の可変ストリーム[RＥＮＣ]を有する、コード化装置において、
この装置が、
圧縮ユニットと、
前記コード化装置によって生成される情報単位の量[ENCＯＵＴ(T)]を記録する手段と、
式ENCＯＵＴ(T)- RＥＮＣ，ＡＶＥＲ・Tに従って、前記出力情報ストリームの情報単位の前記可変のストリームの選ばれた平均値[RＥＮＣ，ＡＶＥＲ]に、前記時点Ｔが乗じられた値分減少した、情報単位の前記記録された量[ENCＯＵＴ(T)]を決定する手段と、
情報単位の前記決定された量を少なくとも一つの基準と比較する手段と、
少なくとも一つの信号用信号を生成する手段と、
少なくとも一つの制御信号を生成する手段とを
有することを特徴とするコード化装置。
【請求項１１】
前記装置に、前記記録された情報単位の量の初期値[ENCＯＵＴ(0)]を入力する手段が設けられていることを特徴とする請求項10に記載のコード化装置。
【請求項１２】
記録担体に情報ストリームを記録する記録手段を有する、情報ストリームを記録担体に記録する記録装置において、前記装置が、請求項10または11に記載のコード化装置を有することを特徴とする記録装置。
【請求項１３】
前記装置に、情報単位の前記決定された量ENCＯＵＴ(T)- RＥＮＣ，ＡＶＥＲ・Tを前記記録担体に記録する手段が設けられていることを特徴とする請求項12に記載の記録装置。
【手続補正２】
【補正対象書類名】明細書
【補正対象項目名】０００７
【補正方法】変更
【補正の内容】
【０００７】
本発明によると、この目的は、前記方法が、
いかなる時点Ｔにおいても、前記出力情報ストリームの情報単位の前記可変ストリームの選ばれた平均値[RＥＮＣ，ＡＶＥＲ]に、前記時点Ｔが乗じられた値分減少させた、前記コード化ステップで生成された情報単位の量[ENCＯＵＴ(T)]が、式[ENCＯＵＴ(T)- RＥＮＣ，ＡＶＥＲ・T]に従って、記録される測定ステップと、
前記測定ステップにおいて記録された情報単位の前記量[ENCＯＵＴ(T)- RＥＮＣ，ＡＶＥＲ・T]が、少なくとも一つの基準と比較され、かつ少なくとも一つの信号用信号[S]が生成される比較ステップと、
少なくとも一つの制御信号[R]が、生成され、前記制御信号の状態が、前記比較ステップにおいて生成される前記信号用信号[S]のうちの少なくとも1つの状態に依存し、かつその制御信号が前記コード化ステップの前記効果に影響する、制御ステップとを
有する、入力情報ストリームをコード化することを特徴とする方法によって達成される。
【手続補正３】
【補正対象書類名】明細書
【補正対象項目名】００１１
【補正方法】変更
【補正の内容】
【００１１】
本発明の方法の一実施例が特徴とする点は、
第一基準が-α・TＶＢ・RＥＮＣ，ＡＶＥＲで、かつ第二基準がα・TＶＢ・RＥＮＣ，ＡＶＥＲで（TＶＢは、選択された時定数を表し、αは選択された一定値を表す）、そして
式ENCＯＵＴ(T)- [RＥＮＣ，ＡＶＥＲ]・T≦-α・TＶＢ・RＥＮＣ，ＡＶＥＲが真の場合、第一信号用信号[SＵＮＤＥＲ]は、所定の値を取得し、そして
式ENCＯＵＴ(T)- [RＥＮＣ，ＡＶＥＲ]・T≧α・TＶＢ・RＥＮＣ，ＡＶＥＲが真の場合、第二信号用信号[SＵＮＤＥＲ]が所定の値を取得し、そして
前記第一信号用信号[SＵＮＤＥＲ]が前記所定の値を有する場合、少なくとも一つの制御信号が、前記出力された情報ストリームの情報単位の前記可変ストリームの前記最小値[RＥＮＣ，ＭＩＮ]がRＥＮＣ，ＡＶＥＲに等しくなるように、前記コード化ステップの前記効果に影響し、そして
前記第二信号用信号[SＯＶＥＲ]が前記所定の値を有する場合、少なくとも一つの制御信号が、前記出力情報ストリームの情報単位の前記可変のストリームの前記最大値[RＥＮＣ，ＭＡＸ]がRＥＮＣ，ＡＶＥＲに等しくなるように、前記コード化ステップの前記効果に影響することである。
【手続補正４】
【補正対象書類名】明細書
【補正対象項目名】００１５
【補正方法】変更
【補正の内容】
【００１５】
本発明の方法の一実施例が特徴とする点は、前記制御ステップにおいて生成される前記制御信号[R]の全ての状態が、テーブルの要素に記録され、そして前記テーブルからの要素が少なくとも一つの信号用信号[S]の状態に応じて選択され、そして前記選択された要素に記録される前記制御信号の前記状態が、生成されることである。
【手続補正５】
【補正対象書類名】明細書
【補正対象項目名】００１８
【補正方法】変更
【補正の内容】
【００１８】
本発明の方法の一実施例が特徴とする点は、前記テーブルの数が、2・TＶＢ・RＥＮＣ，ＡＶＥＲ+1に等しいことである。
【手続補正６】
【補正対象書類名】明細書
【補正対象項目名】００２２
【補正方法】変更
【補正の内容】
【００２２】
本発明の方法の一実施例が特徴とする点は、前記コード化ステップにおいて生成される情報単位の量[ENCＯＵＴ(T)]に、この方法の開始時で、初期値ENCＯＵＴ(0)が割り当てられることである。
【手続補正７】
【補正対象書類名】明細書
【補正対象項目名】００２９
【補正方法】変更
【補正の内容】
【００２９】
本発明の方法の一実施例が特徴とする点は、前記制御ステップにおいて、少なくとも一つの制御信号が生成され、前記制御信号の状態が、前記入力情報ストリームのコンテントを示す外から供給される表示信号に依存することである。
【手続補正８】
【補正対象書類名】明細書
【補正対象項目名】００３２
【補正方法】変更
【補正の内容】
【００３２】
この目的は、前記装置が、
圧縮ユニットと、
前記コード化装置によって生成される情報単位の量[ENCＯＵＴ(T)]を記録する手段と、
式ENCＯＵＴ(T)- RＥＮＣ，ＡＶＥＲ・Tに従って、前記出力情報ストリームの情報単位の前記可変のストリームの選ばれた平均値[RＥＮＣ，ＡＶＥＲ]に、前記時点Ｔが乗じられた値分減少した、情報単位の前記記録された量[ENCＯＵＴ(T)]を決定する手段と、
情報単位の前記決定された量を少なくとも一つの基準と比較する手段と、
少なくとも一つの信号用信号を生成する手段と、
少なくとも一つの制御信号を生成する手段とを
有することにより達成される。
【手続補正９】
【補正対象書類名】明細書
【補正対象項目名】００３３
【補正方法】変更
【補正の内容】
【００３３】
本発明のコード化装置の一実施例が特徴とする点は、前記装置に、前記記録された情報単位の量の初期値[ENCＯＵＴ(0)]を入力する手段が設けられていることである。
【手続補正１０】
【補正対象書類名】明細書
【補正対象項目名】００３６
【補正方法】変更
【補正の内容】
【００３６】
本発明の記録装置の一実施例が特徴とする点は、前記装置に、情報単位の前記決定された量ENCＯＵＴ(T)- RＥＮＣ，ＡＶＥＲ・Tを前記記録担体に記録する手段が設けられていることである。